(57)【要約】【課題】スループットの低下を招くことなく、先端、後端部の画像ムラの発生を防いで全面に良好な画像を記録することができる画像記録装置を提供すること。【解決手段】記録ヘッドを搭載したキャリッジと記録シートを搬送するローラと、記記録シートからはみだしたインクを吸収するための吸収体を装着したプラテンと、被記録材の搬送方向（副走査方向）に対して記録ヘッドより上流側に補助ガイド（先端補助ガイド）を有した記録装置において、プラテンが被記録材の搬送方向（副走査方向）に対して記録ヘッドより下流側に補助ガイド（後端補助ガイド）を有し、先端補助ガイドと後端補助ガイドが副走査方向に独立で移動可能で、且つ、相互に連結及び解除可能なラッチ機構を有しており、先端補助ガイドが下流側に移動したとき後端補助ガイドと連結し、先端補助ガイドが上流側の所定の位置まで戻ったとき、連結が解除されるように構成する。【選択図】図１
2006297805.tif 000002
【特許請求の範囲】
【請求項１】
被記録シートにインクを吐出して画像を形成する記録ヘッドを搭載したキャリッジと前記記録シートを搬送するローラと、前記記録ヘッドに対向し記録シートを保持し、前記記録シートからはみだしたインクを吸収するための吸収体を装着したプラテンと、被記録材の搬送方向（副走査方向）に対して前記記録ヘッドより上流側に補助ガイド（以下、「先端補助ガイド」と呼ぶ）を有した記録装置において、
前記プラテンが被記録材の搬送方向（副走査方向）に対して前記記録ヘッドより下流側に補助ガイド（以下、「後端補助ガイド」と呼ぶ）を有し、前記先端補助ガイドと後端補助ガイドが副走査方向に独立で移動可能で、且つ、相互に連結及び解除可能なラッチ機構を有しており、前記先端補助ガイドが下流側に移動したとき前記後端補助ガイドと連結し、前記先端補助ガイドが上流側の所定の位置まで戻ったとき、連結が解除されるように構成したことを特徴とする画像記録装置。
【請求項２】
前記補助ガイドは、前記プラテンの搬送面と同一の面を有し、前記プラテンの吸収体のエリアを遮蔽可能な範囲まで移動可能に構成したことを特徴とする請求項１記載の画像記録装置。
【請求項３】
前記先端補助ガイドは、上流側に配置された搬送ローラ（以下、「ＬＦローラ」と呼ぶ）から駆動を伝達する機構により下流方向に移動可能に構成されており、前記後端補助ガイドは、下流側に配置された搬送ローラ（以下、「排紙ローラ」と呼ぶ）から駆動を伝達する機構により下流方向に移動可能に構成されたことを特徴とする請求項１記載の画像記録装置。
【請求項４】
前記先端補助ガイドは、前記被記録シートにより回動可能に構成されたレバーを配置し、前記被記録シートによりレバーが回動した状態で前記ＬＦローラからの駆動を伝達し、前記プラテンの吸収体エリアを遮蔽するまで移動するように構成されたことを特徴とする請求項１記載の画像記録装置。
【請求項５】
回動可能に構成された前記レバーは、レバーの回動を検知するセンサを配置することにより前記被記録シートの先端を検知することが可能に構成したことを特徴とする請求項１記載の画像記録装置。
【請求項６】
前記先端補助ガイドは、バネ部材により常時上流側に付勢されており、被記録シートの後端が前記レバーから離脱すると、前記ＬＦローラからの駆動伝達が解除され、前記先端補助ガイドは上流側の所定の位置まで戻すように構成されたことを特徴とする請求項１記載の画像記録装置。
【請求項７】
前記先端補助ガイドは、前記被記録シートの先端部よりも上流側にずれた位置で被記録シートと同期して移動し、前記後端補助ガイドは、前記被記録シートの後端部よりも下流側にずれた位置で被記録シートと同期して移動するように構成したことを特徴とする請求項１記載の画像記録装置。
【請求項８】
前記記録ヘッドは、前記記録シートの表面に対しインクを加熱し吐出させる電気熱変換体素子を有することを特徴とする請求項１記載の画像記録装置。
【発明の詳細な説明】
【技術分野】
【０００１】
本発明は、記録手段により被記録シートに記録する画像記録装置に関し、特に記録シートの全面に画像を記録することが可能なインクジェット記録装置に関する。
【背景技術】
【０００２】
従来、記録シートの全面へ記録を行う場合、記録シート縁部からはみだしたインクが記録装置内を汚したり、記録シートの裏面にインクが付着して汚してしまうといった問題があった。そこで、記録ヘッドに対向する面を切り欠き、記録シートからはみだしたインクを吸収するための吸収体を設けたプラテンが提案されている。
【０００３】
又、前記プラテンにおいて吸収体部分で記録シートが落ち込まないように遮蔽部材を設けたプラテンが提案されている。
【０００４】
更に、前記プラテンの切り欠き部のエリアを縮小するために、先端部と後端部を印字するとき、記録ヘッドの印字ノズル数を制限して印字する方式が提案されている。
【０００５】
図１１は印字ノズル数を半分に制限して先端、後端印字を行うプラテンの断面図である。
【０００６】
記録ヘッドＰ１１を搭載したキャリッジＰ１０は、主軸Ｐ１２とガイド軸Ｐ１３に案内されながら、紙面垂直方向に走査して記録シートＣ１上に画像を形成する。記録シートＣ１は、ＬＦローラＰ３０とＬＦピンチローラＰ３１に挟持さらながら矢印ａ方向に高精度に搬送される。更に、排紙ローラＰ３２と排紙ピンチローラＰ３３に挟持して搬送する排紙ガイドＰ３５にガイドされながら排紙される。
【０００７】
プラテンＰ４００は、記録ヘッドＰ１１に対向する部分が開口されており、記録シートＣ１からはみだしたインクを吸収するプラテン吸収体Ｐ６１が配置されている。このとき、プラテンＰ４００の開口部Ｐ４００ａは、記録ヘッドＰ１１の使用ノズル数の半分の開口幅になっている。
【０００８】
従って、図１１で示すように記録シートＣ１の先端部と後端部を印字するときは、記録ヘッドＰ１１の半分のノズル数しか使用していない。
【０００９】
先端部と後端部の画像を形成するときの印字処理イメージを図１２で示す。
【００１０】
図１２はノズル数２５６ノズルで、８パス印字をした設定で、先端、後端のノズル数を半分の１２８ノズルに制限したときの印字イメージである。
【００１１】
図１２のＡ〜Ｃは先端印字を行っているときの印字処理イメージで、Ａ範囲は、先端印字時にはみだして印字している状態（図１１の先端印字時）で２５６ノズルの半分の１２８ノズルのみ使用して１６パス送りをしているときの印字データイメージで、Ｂ範囲は、１６パスから８パスに切り替えたときに印字データを８パスに戻している状態、Ｃ範囲は、定常の８パス送りでの印字データイメージである。
【００１２】
又、Ｃ〜Ｅは後端印字を行っているときの印字処理イメージで、Ｃ範囲は、定常の８パス送りでの印字データイメージ、Ｄ範囲は、８パスから１６パスに切り替えるときの印字データイメージ、Ｅ範囲は、後端印字時にはみだして印字している状態（図１１の後端印字時）で２５６ノズルの半分の１２８ノズルのみ使用して１６パス送りをしているときの印字データイメージである。
【００１３】
このようにプラテンの開口部を制限した場合、記録ヘッドの印字ノズル数を制限して印字することが必須となり、先端、後端部の画質劣化をさせないようにするためには、記録パス数を増やして対応する必要がある。
【００１４】
【特許文献１】特開２００１−３０４８１号（図１１及び図１２、請求項６，７）
【発明の開示】
【発明が解決しようとする課題】
【００１５】
しかしながら、従来のインクジェット記録装置のプラテンは、記録ヘッドのノズル幅分以上を切り欠いているため、記録シートの先端部分や後端部分で記録ヘッドに対して距離が変化するため、色ムラ等の画像不良が発生する問題点があった。
【００１６】
又、吸収体部分に遮蔽部材を設けた場合でも、後端を印字するとき、はみだしたインクが遮蔽部材に付着し、付着したインクが記録シートの裏面を汚してしまうという問題があった。
【００１７】
更に、記録ヘッドの印字ノズルを制限してプラテンの切り欠き部を縮小化した場合においても、前述のように画質劣化をさせないために、記録するパス数を増やして画像形成する必要があり、先端、後端の印字時の印字速度の低下が発生し、結果としてスループットの低下を招いてしまうという問題があった。
【００１８】
本発明は上記問題に鑑みてなされたもので、その目的とする処は、スループットの低下を招くことなく、先端、後端部の画像ムラの発生を防いで全面に良好な画像を記録することができる画像記録装置を提供することにある。
【課題を解決するための手段】
【００１９】
上記目的を達成するため、本発明は、被記録シートにインクを吐出して画像を形成する記録ヘッドを搭載したキャリッジと前記記録シートを搬送するローラと、前記記録ヘッドに対向し記録シートを保持し、前記記録シートからはみだしたインクを吸収するための吸収体を装着したプラテンと、被記録材の搬送方向（副走査方向）に対して前記記録ヘッドより上流側に補助ガイド（以下、「先端補助ガイド」と呼ぶ）を有した記録装置において、前記プラテンが被記録材の搬送方向（副走査方向）に対して前記記録ヘッドより下流側に補助ガイド（以下、「後端補助ガイド」と呼ぶ）を有し、前記先端補助ガイドと後端補助ガイドが副走査方向に独立で移動可能で、且つ、相互に連結及び解除可能なラッチ機構を有しており、前記先端補助ガイドが下流側に移動したとき前記後端補助ガイドと連結し、前記先端補助ガイドが上流側の所定の位置まで戻ったとき、連結が解除されるように構成したことを特徴とする。
【発明の効果】
【００２０】
本発明によれば、記録ヘッドに対して上流側と下流側に補助ガイドを設け、記録シートにより回動するレバーによりＬＦローラの駆動が上流側の補助ガイドに伝達され、記録シートに同期しながら、記録シートの先端よりずれた位置で移動することで先端部の落ち込みがなく画像ムラが発生しない。同様に下流側の補助ガイドも排紙ローラの駆動伝達により記録シートの後端よりずれた位置で同期しながら移動することで後端部の落ち込みがなく画像ムラが発生しない。
【００２１】
又に、記録ヘッドの使用ノズルを制限する必要がなく、先端印字、後端印字時にパス数を増やす必要がなく、印字時間を短縮化できる。
【００２２】
従って、本発明によれば、スループットの低下を招くことなく、先端、後端部の画像ムラの発生を防いで全面に良好な画像を記録することができる画像記録装置を得ることができる。
【発明を実施するための最良の形態】
【００２３】
以下に本発明の実施の形態を添付図面に基づいて説明する。
【００２４】
＜実施の形態１＞
図１は本発明に係るインクジェットプリンタ本体Ｐ１にユニバーサルカセットＣ１０を装着した外観斜視図である。
【００２５】
図１に示すように、記録シートＣ１をセットしたユニバーサルカセットＣ１０は、プリンタ本体Ｐ１に取り付けられたカセットスロットＰ５にガイドされ装着される。記録シートＣ１は、プリンタ本体Ｐ１により１枚ずつ給紙され、プラテンＰ６まで搬送された後、記録ヘッドを搭載したキャリッジＰ１０により印字され、矢印Ａ方向に排出される。
【００２６】
図２はプリンタ本体の主断面図である。
【００２７】
ユニバーサルカセットＣ１０内に複数枚積載された記録シートＣ１は、プリンタ本体Ｐ１内の圧板Ｐ２３によりユニバーサルカセットＣ１０内のカセット中板Ｃ７０を介して上方に押し上げられピックアップローラＰ２０に圧接される。ピックアップローラＰ２０は、ＡＳＦモーター（不図示）からの駆動により回転しフィードローラＰ２１とリタードローラＰ２２に搬送される。
【００２８】
ここで、リタードローラＰ２２は、記録シートＣ１の搬送方向と逆方向に回転し、重送してきた記録シートＣ１を１枚に分離する。記録シートＣ１はフィードローラＰ２１により、ＬＦローラＰ３０とＬＦピンチローラＰ３１にグリップされるまで搬送される。
【００２９】
ＬＦローラＰ３０は、ＬＦモーター（不図示）によりプラテンＰ６まで高精度に搬送され、キャリッジＰ１０に搭載された印字ヘッドＰ１１により記録シートＣ１上に印字画像を形成する。
【００３０】
キャリッジＰ１０は、主軸Ｐ１２とガイド軸Ｐ１３に案内されながら、ＣＲモータ（不図示）からの駆動をリードスクリューＰ１４を介して、図２の断面と垂直方向に往復運動をおこなう。
【００３１】
記録シートＣ１は、ＬＦローラＰ３０と同様に構成された排紙ローラＰ３２と排紙ピンチローラＰ３３により高精度に搬送され、排紙ガイドＰ３５によりガイドされながらプリンタＰ１外へ排紙される。
【００３２】
排紙ガイドＰ３５の直下には、キャリッジＰ１０に搭載された印字ヘッドＰ１１の回復を行うためのポンプＰ４０が搭載されている。
【００３３】
次に、本発明のプラテンの全体構成について図３〜図９を用いて説明する。
【００３４】
図３は本提案のプラテンの斜視図である。図４〜図９は、本提案のプラテンの動作状態を示す断面図である。
【００３５】
図３において、記録ヘッドＰ１１を搭載したキャリッジＰ１０は、主軸Ｐ１２とガイド軸Ｐ１３に案内されながら、矢印ｃ方向（主走査方向）に走査する。記録シートＣ１は、ＬＦローラＰ３０とＬＦピンチローラＰ３１に挟持されながら矢印ａ方向（副走査方向）に高精度に搬送される。プラテンＰ６上まで搬送された状態で前記のキャリッジＰ１０が矢印ｃ方向に走査し、キャリッジＰ１０に搭載された記録ヘッドＰ１１により記録シートＣ１上に画像を形成する。
【００３６】
記録シートＣ１は、ＬＦローラＰ３０と同様に排紙ローラＰ３２と排紙ピンチローラＰ３３に挟持されながら高精度に間欠送りされる。記録シートＣ１に画像形成が終了すると、排紙ガイドＰ３５にガイドされながら矢印ｂ方向に排出される。
【００３７】
ここで、プラテンＰ６は、記録ヘッドＰ１１に対向した部分が凹形状になっており、記録シートＣ１からはみだしたインクを吸収するためにプラテン吸収体Ｐ６１が配置されている。又、プラテン吸収体を挟んで、上流側に本提案の先端補助ガイドＰ７、下流側に本提案の後端補助ガイドＰ８が配置されている。先端補助ガイドＰ７と後端補助ガイドＰ８は、記録ヘッドＰ１１に対して同一高さになるように設定されている。
【００３８】
先端補助ガイドＰ７は、矢印ｄ方向に、後端補助ガイドＰ８は、矢印ｅ方向にスライド可能に構成されている。
【００３９】
先端検知レバーＰ６１は、プラテンＰ６と紙規制板Ｐ３６の間をＬＦローラＰ３０により搬送された記録シートＣ１の先端により矢印ｆ方向に回動するように構成されており、記録シートＣ１の先端を検知する機能と先端補助ガイドＰ７へＬＦローラＰ３０の駆動を連結するトリガーの機能を果たしている。
【００４０】
次に、図４〜図９を用いて、本提案の先端補助ガイドＰ７と後端補助ガイドＰ８の動作を説明する。
【００４１】
図４は、待機状態のプラテン断面図である。
【００４２】
先端補助ガイドＰ７は、先端補助ガイドバネＰ７３により図示した状態で常時ｊ方向に付勢されている。又、先端補助ガイドＰ７は、後端補助ガイドＰ８のラッチ部Ｐ８ａと係合するように構成されたラッチ部Ｐ７ａを有し、更に先端補助ガイド用ピニオンギアＰ７１と噛合う先端補助ガイドラック部Ｐ７ｂを有している。
【００４３】
先端検知レバーＰ９は、前記先端補助ガイド用ピニオンギアＰ７１の回転中心で矢印ｒ１及びｒ２方向に回動可能になっている。又、先端検知レバーＰ９には、先端補助ガイド用ピニオンギアＰ７１と噛合うＬＦローラ駆動伝達ギアＰ７２が取り付けられている。
【００４４】
ここで、ＬＦローラ駆動伝達ギアＰ７２は、先端検知レバーＰ９が矢印ｒ２方向に回動したとき、ＬＦローラ駆動伝達ギアＰ７２と一体に形成したゴムローラ部（不図示）がＬＦローラＰ３０と接触し、ＬＦローラＰ３０の駆動が駆動伝達ギアＰ７２を介してピニオンギアＰ７１に伝わり、更にラックＰ７ｂにより先端補助ガイドＰ７が矢印ｋ方向に移動するように構成されている。又、先端検知レバーＰ９は、矢印ｐ方向に回動したとき、先端検知センサＰ９１によりレバーの回動を検知し、記録シートの先端を検知するように構成されている。
【００４５】
後端補助ガイドＰ８は、先端補助ガイドＰ７のラッチ部と係合するように構成されたラッチ部Ｐ８ａを有し、更に後端補助ガイド用ピニオンギアＰ８１と噛合う後端補助ガイドラック部Ｐ８１ｂを有している。
【００４６】
後端補助ガイド用ピニオンギアＰ８１と噛合う排紙ローラ駆動伝達ギアＰ８２は、後端補助ガイドギアホルダＰ８３で保持されており、ピニオンギアＰ８１を回転中心として矢印ｓ１及びｓ２方向に回動するように構成されている。後端補助ガイドギアホルダＰ８３は、後端補助ガイドギアホルダバネＰ８４により、常時矢印Ｓ１方向に付勢されている。
【００４７】
後端補助ギアホルダＰ８３が矢印ｓ１方向に回動したとき、排紙ローラ駆動伝達ギアＰ８２と一体に形成したゴムローラ部（不図示）が排紙ローラＰ３２と接触し、排紙ローラＰ３２の駆動が駆動伝達ギアＰ８２を介してピニオンギアＰ８１に伝わり、更にラックＰ８ｂにより後端緒補助ガイドＰ８が矢印ｎ方向に移動するように構成されている。
【００４８】
図４での待機状態のときには、後端補助ガイドＰ８に設けられた凸部Ｐ８ｃにより後端補助ガイドギアホルダＰ８３はｓ２方向に押されているので排紙ローラＰ３２の駆動が駆動伝達ギアＰ８２に伝わらないような配置になっている。又、後端補助ガイドストッパーＰ６２は、後端補助ガイドＰ８がｍ方向に移動したときのストッパーの機能を果たしている。
【００４９】
図５は記録シートの先端が先端検知レバーを回動させた状態のときのプラテン断面図である。
【００５０】
記録シートＣ１がＬＦローラＰ３０とＬＦピンチローラＰ３１に挟持さらながら矢印ａ方向に搬送され、記録シートＣ１の先端が先端検知レバーＰ９に接触すると、先端補助ガイド用ピニオンギアＰ７１の回転中心でレバーＰ９が矢印ｒ２方向に回動する。
【００５１】
このとき、ＬＦローラ駆動伝達ギアＰ７２と一体に形成したゴムローラ部（不図示）がＬＦローラＰ３０と接触し、ＬＦローラＰ３０が矢印ｐ１方向に回転すると駆動伝達ギアＰ７２が矢印ｐ２方向に回転し、ピニオンギアＰ７１が矢印ｐ３方向に回転し、ラックＰ７ｂにより先端補助ガイドＰ７が矢印ｋ方向に移動する。又、このとき、先端検知センサＰ９１が先端検知レバーＰ９の一部を検知し、記録シートＣ１の先端を検知することができる。
【００５２】
後端補助ガイドＰ８は、図４で説明したように排紙ローラＰ３２の駆動が伝達されないので図４の状態と同じ位置のままである。
【００５３】
図６は記録シートの先端部を印字するときのプラテン断面図である。
【００５４】
記録シートＣ１が記録ヘッドＰ１１上に搬送されたとき、キャリッジＰ１０が主走査方向（紙面垂直方向）に走査し、先端部の印字が行われる。このとき、記録シートＣ１からはみだしたインクは、プラテン吸収体Ｐ６１により吸収される。
【００５５】
又、このとき先端補助ガイドＰ７の先端部Ｐ７ｃは記録シートＣ１の先端部よりも上流側にオフセットされた位置で記録シートＣ１をガイドしており、はみだしたインクが先端補助ガイドＰ７の搬送面に付着することがない。
【００５６】
先端補助ガイドＰ７は、記録シートＣ１と同期して矢印ｋ方向に移動するので、常に記録シートＣ１をガイドしており、吸収体Ｐ６１上でも記録シートＣ１の先端が下方向に曲がることがなく、記録ヘッドＰ１１に対して一定の間隔を保持できるので印字ムラが発生せず、又、記録ヘッドＰ１１の全ノズルを使用して印字を行うので、スループットの低下を招かない。
【００５７】
図７は先端補助ガイドが後端補助ガイドと連結した状態のプラテン断面図である。
【００５８】
先端補助ガイドＰ７が図６より更に矢印ａ方向に移動すると、図７で示すように先端ガイドラッチ部Ｐ７ａと後端ガイドラッチ部Ｐ８ａが連結される。この状態で先端補助ガイドＰ７は、後端補助ガイドＰ８により規制されるので矢印ｋ方向へ移動しない。
【００５９】
図８は記録シートの後端が、先端検知レバーから離脱した状態のプラテン断面図である。
【００６０】
記録シートＣ１が矢印ａ方向に搬送されていくと記録シートの後端が先端検知レバーＰ９から離脱する状態になる。このとき、先端検知レバーＰ９は、矢印ｒ１方向に回動する。
【００６１】
この状態になると、ＬＦローラＰ３０とＬＦローラ駆動伝達ギアＰ７２の駆動連結は解除され、先端補助ガイドＰ７が矢印ｋ方向に移動する駆動力が伝達されなり、先端補助ガイドバネＰ７３によりｊ方向に戻される。このとき、図７で示したように先端補助ガイドＰ７と後端補助ガイドＰ８はラッチにより連結状態にあるので、後端補助ガイドＰ８も同様に矢印ｊ方向に移動される。後端補助補助ガイドＰ８が矢印ｊ方向に移動するとプラテンＰ６の設けられた後端補助ガイドストッパーにより移動が停止され、同時に先端補助ガイドラッチ部Ｐ７ａと後端補助ガイドラッチ部Ｐ８ａの連結が解除される。この状態で、後端補助ガイド後端部Ｐ８ｄは、記録シートＣ１よりも下流側にオフセットした位置になっている。
【００６２】
又、このとき、後端補助ガイド凸部Ｐ８ｃが後端補助ガイドホルダＰ８３から離脱するので、後端補助ガイドホルダＰ８３は、後端補助ガイド用ピニオンギアＰ８１を中心に矢印ｓ１方向に回動し、排紙ローラ駆動伝達ギアＰ８２と一体に形成したゴムローラ部（不図示）が排紙ローラＰ３２と接触し、排紙ローラＰ３２の矢印ｑ１の回転が伝達され、排紙ローラ駆動伝達ギアＰ８２が矢印ｑ２方向に回転し、後端補助ガイド用ピニオンギアＰ８１が矢印ｑ３方向に回転し、後端補助ガイドラック部Ｐ８ｂにより後端緒補助ガイドＰ８が矢印ｎ方向に移動を開始する。
【００６３】
図９は記録シートの後端部を印字するときのプラテン断面図である。
【００６４】
記録シートＣ１後端からはみだしたインクは、プラテン吸収体Ｐ６１により吸収される。
【００６５】
又、このとき先端補助ガイドＰ８の後端部Ｐ８ｃは記録シートＣ１の後端部よりも下流側にオフセットされた位置で記録シートＣ１をガイドしており、はみだしたインクが後端補助ガイドＰ８の搬送面に付着することがない。
【００６６】
後端補助ガイドＰ８は、記録シートＣ１と同期して矢印ｎ方向に移動するので、常に記録シートＣ１をガイドしており、吸収体Ｐ６１上でも記録シートＣ１の後端が下方向に曲がることがなく、記録ヘッドＰ１１に対して一定の間隔を保持できるので印字ムラが発生せず、又、記録ヘッドＰ１１の全ノズルを使用して印字を行うので、スループットの低下を招かない。
【００６７】
以上のように構成することで、記録シートに縁無し印字する場合、全面に亘ってプラテンＰ６と先端補助ガイドＰ７と後端補助ガイドＰ８により記録シートの先端部、後端部をガイドするので、記録ヘッドと記録シートの紙間変化が発生せず、全面に亘って良好な画質を保証できる。
【００６８】
又、先端、後端で使用ノズルを制限する必要がないので、スループットの劣化が発生せず、良好な印字が実現できる。
【００６９】
＜実施の形態２＞
本実施の形態であるプラテンの構成を図１０の断面図を用いて説明する。
【００７０】
図１０は本実施の形態のプラテン断面図である。
【００７１】
先端検知レバーＰ３００の一端にゴムローラが付いている先端補助ガイド用ピニオンギアＰ１０１が配置されており、記録シートが先端検知レバーを回動させると矢印ｒ２方向に回動し、先端補助ガイド用ピニオンギアＰ１０１が先端補助ガイドＰ１００のラック部Ｐ１００ｂの噛合う状態になる、又、このとき、先端補助ガイド用ピニオンギアＰ１０１に一体で形成したゴムローラ部がプラテンＰ６より上面に飛び出した状態となり、記録シートＣ１と接触する状態となる。
【００７２】
記録シートＣ１がＬＦローラＰ３０により矢印ａ方向に搬送されるとピニオンギアＰ１０１が矢印ｔ１方向に回転し、噛合っているラック部Ｐ１００ｂにより先端補助ガイドＰ１００がｋ方向に移動する。
【００７３】
後端補助ガイドＰ２０１のラック部Ｐ２００ｂは、後端補助ガイド用ピニオンギアＰ２０１と常時噛合っている。記録シートＣ１が後端補助ガイド用ピニオンギアＰ２０１上に搬送されてきたとき、プラテンＰ６より上面に飛び出した状態で配置された後端補助ガイド用ピニオンギアＰ２０１に一体で形成したゴムローラ部Ｐ２０１ａに接触し、記録シートＣ１がＬＦローラＰ３０により矢印ａ方向に搬送されるとピニオンギアＰ２０１が矢印ｔ２方向に回転し、噛合っているラック部Ｐ２００ｂにより後端補助ガイドＰ２００がｎ方向に移動する。
【００７４】
ここで、先端補助ガイドＰ１００と後端補助ガイドＰ２００が、連結したり解除したりする構成は実施の形態１と同様である。
【００７５】
以上のように構成することにより、実施の形態１よりも部品点数が少なくて済み、安価な構成でスループットの低下を招かず、記録シート全面に良好な画像を実現できる。
【図面の簡単な説明】
【００７６】
【図１】本発明のプリンタ本体の斜視図である。
【図２】本発明のプリンタ本体の主断面図である。
【図３】本発明の実施の形態１に係るプラテンの斜視図である。
【図４】本発明の実施の形態１に係るプラテン断面図である（待機状態）。
【図５】記録シートの先端が先端検知レバーを回動させた状態のプラテン断面図である。
【図６】先端印字時のプラテン断面図である。
【図７】先端補助ガイドが後端補助ガイドと連結した状態のプラテン断面図である。
【図８】記録シートの後端が先端検知レバーから離脱した状態のプラテン断面図である。
【図９】後端印字時のプラテン断面図である。
【図１０】本発明の実施の形態２のプラテン断面図である。
【図１１】従来のノズルを制限して先端、後端印字を行うプラテン部の断面図である。
【図１２】従来のノズルを制限したときの先端、後端の印字処理イメージである。
【符号の説明】
【００７７】
Ｐ１        プリンタ本体
Ｐ５        カセットスロット
Ｐ６        プラテン
Ｐ７        先端補助ガイド
Ｐ７ａ      先端補助ガイドラッチ部
Ｐ７ｂ      先端補助ガイドラック部
Ｐ７ｃ      先端補助ガイド先端部
Ｐ８        後端補助ガイド
Ｐ８ａ      後端補助ガイドラッチ部
Ｐ８ｂ      後端補助ガイドラック部
Ｐ８ｃ      後端補助ガイド凸部
Ｐ８ｄ      後端補助ガイド後端部
Ｐ９        先端検知レバー
Ｐ１０      キャリッジ
Ｐ１１      印字ヘッド部
Ｐ１２      主軸
Ｐ１３      ガイド軸
Ｐ１４      リードスクリュー
Ｐ２０      ピックアップローラ
Ｐ２１      フィードローラ
Ｐ２２      リタードローラ
Ｐ２３      圧板
Ｐ３０      ＬＦローラ  
Ｐ３１      ＬＦピンチローラ
Ｐ３２      排紙ローラ
Ｐ３３      排紙ピンチローラ
Ｐ３５      排紙ガイド
Ｐ３６      紙規制板
Ｐ４０      ポンプ
Ｐ６１      プラテン吸収体
Ｐ６２      後端補助ガイドストッパー
Ｐ７１      先端補助ガイド用ピニオンギア
Ｐ７２      ＬＦローラ駆動伝達ギア
Ｐ７３      先端補助ガイドバネ
Ｐ８１      後端補助ガイド用ピニオンギア
Ｐ８２      排紙ローラ駆動伝達ギア
Ｐ８３      後端補助ガイドギアホルダ
Ｐ８４      後端補助ガイドギアホルダバネ
Ｐ９１      先端検知センサ
Ｐ１００    先端補助ガイド
Ｐ１００ｂ  先端補助ガイドラック部
Ｐ１０１    先端補助ガイド用ピニオンギア（ローラ付き）
Ｐ１０１ａ  先端補助ガイド用ピニオンギアのゴムローラ部
Ｐ２００    後端補助ガイド
Ｐ２００ｂ  後端補助ガイドラック部
Ｐ２０１    後端補助ガイド用ピニオンギア（ローラ付き）
Ｐ２０１ａ  後端補助ガイド用ピニオンギアのゴムローラ部
Ｐ３００    先端検知レバー
Ｃ１        記録シート
Ｃ１０      ユニバーサルカセット
Ｃ７０      カセット中板
【図１】
2006297805.tif 000003
【図２】
2006297805.tif 000004
【図３】
2006297805.tif 000005
【図４】
2006297805.tif 000006
【図５】
2006297805.tif 000007
【図６】
2006297805.tif 000008
【図７】
2006297805.tif 000009
【図８】
2006297805.tif 000010
【図９】
2006297805.tif 000011
【図１０】
2006297805.tif 000012
【図１１】
2006297805.tif 000013
【図１２】
2006297805.tif 000014